(57)【要約】  本発明は、ＵＴＲＡＮ（ｕｎｉｖｅｒｓａｌ  ｍｏｂｉｌｅ  ｔｅｌｅｃｏｍｍｕｎｉｃａｔｉｏｎ  ｓｙｓｔｅｍ（ＵＭＴＳ）ｔｅｒｒｅｓｔｒｉａｌ  ｒａｄｉｏ  ａｃｃｅｓｓ  ｎｅｔｗｏｒｋ）とＥ−ＵＴＲＡＮ（ｅｖｏｌｖｅｄ−ＵＴＲＡＮ）に基づくシステムとの間でハンドオーバを実施する方法および装置に関する。無線通信システムは、ＵＴＲＡＮ、Ｅ−ＵＴＲＡＮ、２Ｇ／３Ｇコアネットワーク、およびＬＴＥコアネットワーク、ならびにＬＴＥ要素および２Ｇ／３Ｇ要素を含む少なくとも１つの無線送受信ユニットを含む。本発明によると、ＷＴＲＵは、ＵＴＲＡＮで開始された呼をＥ−ＵＴＲＡＮにハンドオーバすることができ、またＥ−ＵＴＲＡＮで開始された呼をＵＴＲＡＮにハンドオーバすることができる。２Ｇ／３ＧコアネットワークとＬＴＥコアネットワークは、Ｇｎインターフェイスによって接続される。
2009529830.tif 000002
【特許請求の範囲】
【請求項１】
デュアル無線アクセス技術（ＲＡＴ）対応無線送受信ユニット（ＷＴＲＵ）、ＵＴＲＡＮ（ｕｎｉｖｅｒｓａｌ  ｍｏｂｉｌｅ  ｔｅｌｅｃｏｍｍｕｎｉｃａｔｉｏｎ  ｓｙｓｔｅｍ（ＵＭＴＳ）ｔｅｒｒｅｓｔｒｉａｌ  ｒａｄｉｏ  ａｃｃｅｓｓ  ｎｅｔｗｏｒｋ）、Ｅ−ＵＴＲＡＮ（ｅｖｏｌｖｅｄ−ＵＴＲＡＮ）、第２世代／第３世代（２Ｇ／３Ｇ）コアネットワーク、およびＬＴＥ（ｌｏｎｇ  ｔｅｒｍ  ｅｖｏｌｕｔｉｏｎ）ネットワークを含む無線通信システムにおいて、Ｅ−ＵＴＲＡＮからＵＴＲＡＮへの前記ＷＴＲＵのハンドオーバを実施する方法であって、
前記ＷＴＲＵによって送信される測定結果報告に基づいて、アクセスゲートウェイ（ＡＧＷ）においてハンドオーバ処理を開始するステップと、
リロケーション要求を前記ＡＧＷから前記ターゲットＵＴＲＡＮに配置されたターゲット無線ネットワーク制御装置に送信するステップと、
前記ターゲットＵＴＲＡＮで前記ＷＴＲＵにリソースを割り当てるステップと、
リロケーション応答を前記ＵＴＲＡＮから前記ＡＧＷに送信するステップと、
ハンドオーバコマンドを前記ＡＧＷから前記ＷＴＲＵに送信するステップと、
サービング無線ネットワークサブシステム（ＳＲＮＳ）コンテキストを前記ターゲットＲＮＣに送信することによってＳＲＮＳのリロケーションを実施するステップと、
再構成完了メッセージを前記ＷＴＲＵからターゲットＳＧＳＮ（ｓｅｒｖｉｎｇ  ｇｅｎｅｒａｌ  ｐａｃｋｅｔ  ｒａｄｉｏ  ｓｅｒｖｉｃｅ（ＧＰＲＳ）Ｓｕｐｐｏｒｔ  Ｎｏｄｅ）に送信するステップと、
解放メッセージを前記Ｅ−ＵＴＲＡＮに送信することによって前記Ｅ−ＵＴＲＡＮで前記無線リソースを解放するステップと、
更新パケットデータプロトコル（ＰＤＰ）コンテキストを前記ターゲットＳＧＳＮからアクセスサーバゲートウェイ（ＡＳＧＷ）アンカーノードに送信するステップと
を備えることを特徴とする方法。
【請求項２】
前記リロケーション要求は、前記ＡＧＷから前記ターゲットＲＮＣに前記ＡＳＧＷアンカーノードおよび前記ＳＧＳＮを介して送信されることを特徴とする請求項１に記載の方法。
【請求項３】
前記ＡＳＧＷは、ソースＳＧＳＮとして機能することを特徴とする請求項２に記載の方法。
【請求項４】
前記ターゲットＵＴＲＡＮで前記ＷＴＲＵにリソースを割り当てるステップは、前記ターゲットＳＧＳＮでリソースを割り当てるステップを含むことを特徴とする請求項１に記載の方法。
【請求項５】
前記リロケーション応答メッセージは、前記ＵＴＲＡＮから前記ＡＧＷに前記ＡＳＧＷアンカーノードを介して送信されることを特徴とする請求項１に記載の方法。
【請求項６】
前記ハンドオーバコマンドは、前記無線アクセス技術、チャネル番号、ルーティングエリア、および新しい接続の位置エリアに関する情報を含むことを特徴とする請求項１に記載の方法。
【請求項７】
前記ＳＲＮＳコンテキストメッセージは、前記ターゲットＲＮＣに前記ＡＳＧＷを介して送信されることを特徴とする請求項１に記載の方法。
【請求項８】
前記更新ＰＤＰコンテキストメッセージを送信するステップは、Ｑｏｓプロファイルを更新するステップを含むことを特徴とする請求項１に記載の方法。
【請求項９】
前記更新ＰＤＰコンテキストメッセージを送信するステップは、ホームサブスクライバサービス（ＨＳＳ：ｈｏｍｅ  ｓｕｂｓｃｒｉｂｅｒ  ｓｅｒｖｉｃｅ）を更新するステップを含むことを特徴とする請求項１に記載の方法。
【請求項１０】
前記ＡＳＧＷおよび前記ＳＧＳＮは、Ｇｎインターフェイスを介して通信することを特徴とする請求項１に記載の方法。
【請求項１１】
デュアル無線アクセス技術（ＲＡＴ）対応無線送受信ユニット（ＷＴＲＵ）、ＵＴＲＡＮ（ｕｎｉｖｅｒｓａｌ  ｍｏｂｉｌｅ  ｔｅｌｅｃｏｍｍｕｎｉｃａｔｉｏｎ  ｓｙｓｔｅｍ（ＵＭＴＳ）ｔｅｒｒｅｓｔｒｉａｌ  ｒａｄｉｏ  ａｃｃｅｓｓ  ｎｅｔｗｏｒｋ）、Ｅ−ＵＴＲＡＮ（ｅｖｏｌｖｅｄ−ＵＴＲＡＮ）、第２世代／第３世代（２Ｇ／３Ｇ）コアネットワーク、およびＬＴＥ（ｌｏｎｇ  ｔｅｒｍ  ｅｖｏｌｕｔｉｏｎ）ネットワークを含む無線通信システムにおいて、ＵＴＲＡＮからＥ−ＵＴＲＡＮへの前記ＷＴＲＵのハンドオーバを実施する方法であって、
前記ＷＴＲＵから受信した測定結果に基づいて、無線ネットワーク制御装置でハンドオーバをトリガするステップと、
ターゲットｅｖｏｌｖｅｄ−ｎｏｄｅ  Ｂ（Ｅ−ＮＢ）を決定するステップと、
コンテキスト転送をターゲットアクセスゲートウェイ（ＡＧＷ）で開始するステップと、
前記Ｅ−ＵＴＲＡＮで、前記ＷＴＲＵに必要な前記無線リソースを割り当てるステップと、
ハンドオーバコマンドを前記ＷＴＲＵに送信するステップと、
前記ハンドオーバコマンドに応答して、前記ＷＴＲＵでチャネルを切り替えるステップと、
初期アクセスメッセージを前記ターゲットＡＧＷに前記ＷＴＲＵから送信するステップと、
前記ＷＴＲＵによって使用される前記無線リソースを解放するために、ＳＧＳＮ（ｓｅｒｖｉｎｇ  ｇｅｎｅｒａｌ  ｐａｃｋｅｔ  ｒａｄｉｏ  ｓｅｒｖｉｃｅ（ＧＰＲＳ）Ｓｕｐｐｏｒｔ  Ｎｏｄｅ）で解放動作を開始するステップと、
前記ターゲットＡＧＷでパケットデータプロトコル（ＰＤＰ）コンテキスト情報を更新するステップと
を備えることを特徴とする方法。
【請求項１２】
ターゲットＥ−ＮＢを決定するステップは、ターゲットアクセスサーバゲートウェイノードＡＳＧＷアンカーノードを決定するステップを含むことを特徴とする請求項１１に記載の方法。
【請求項１３】
ターゲットＥ−ＮＢを決定するステップは、ターゲットＡＳＧを決定するステップを含むことを特徴とする請求項１１に記載の方法。
【請求項１４】
前記ハンドオーバコマンドは、無線アクセス技術、チャネル番号、ルーティングエリアおよび位置エリアに関する情報を含むことを特徴とする請求項１１に記載の方法。
【請求項１５】
前記ＡＳＧＷおよび前記ＳＧＳＮは、Ｇｎインターフェイスを介して通信することを特徴とする請求項１１に記載の方法。
【請求項１６】
ＵＴＲＡＮ（ｕｎｉｖｅｒｓａｌ  ｍｏｂｉｌｅ  ｔｅｌｅｃｏｍｍｕｎｉｃａｔｉｏｎ  ｓｙｓｔｅｍ（ＵＭＴＳ）ｔｅｒｒｅｓｔｒｉａｌ  ｒａｄｉｏ  ａｃｃｅｓｓ  ｎｅｔｗｏｒｋ）とＥ−ＵＴＲＡＮ（ｅｖｏｌｖｅｄ−ＵＴＲＡＮ）との間で無線送受信ユニットのハンドオーバを実施する無線通信システムであって、
デュアル無線アクセス技術（ＲＡＴ）対応ＷＴＲＵと、
サービングゲートウェイサポートノード（ＳＧＳＮ）を含む第２世代／第３世代（２Ｇ／３Ｇ）コアネットワークと、
前記２Ｇ／３Ｇコアネットワークに前記ＳＧＳＮを介して接続されているＵＴＲＡＮと、
アクセスサーバゲートウェイ（ＡＳＧＷ）アンカーノードを含むＬＴＥ（ｌｏｎｇ  ｔｅｒｍ  ｅｖｏｌｕｔｉｏｎ）ネットワークと、
前記ＬＴＥコアネットワークにＡＳＧＷアンカーノードを介して接続されているＥ−ＵＴＲＡＮとを備え、前記ＳＧＳＮおよび前記ＡＳＧＷは既存のＧｎインターフェイスを介して通信することを特徴とする無線通信システム。
【請求項１７】
前記ＵＴＲＡＮは、ノードＢおよび前記ＳＧＳＮと通信するため、および前記ＷＴＲＵから受信した測定結果に基づいてＵＴＲＡＮからＥ−ＵＴＲａｎへのハンドオーバをトリガするための、少なくとも１つの無線ネットワーク制御装置を含むことを特徴とする請求項１６に記載のシステム。
【請求項１８】
前記ＷＴＲＵは、前記ＷＴＲＵが２Ｇ／３Ｇモードで動作しているときに、前記ノードＢとメッセージを交換することを特徴とする請求項１７に記載のシステム。
【請求項１９】
前記ＬＴＥコアネットワークは、少なくとも１つのｅｖｏｌｖｅｄ−Ｎｏｄｅ  Ｂ（Ｅ−ＮＢ）と前記ＡＳＧＷアンカーノードとの間で通信し、前記ＷＴＲＵから受信した測定結果に基づいてＥ−ＵＴＲＡＮから前記ＵＴＲＡＮへのハンドオーバをトリガするアクセスゲートウェイ（ＡＧＷ）を含むことを特徴とする請求項１６に記載のシステム。
【請求項２０】
前記ＷＴＲＵは、前記ＷＴＲＵがＬＴＥモードで動作しているときに、前記Ｅ−ＮＢとメッセージを交換することを特徴とする請求項１９に記載のシステム。
【請求項２１】
ＬＴＥ（ｌｏｎｇ  ｔｅｒｍ  ｅｖｏｌｕｔｉｏｎ）ネットワークと第２世代／第３世代（２Ｇ／３Ｇ）ネットワークとの間でハンドオーバを実施するように構成されたデュアルモード無線送受信ユニット（ＷＴＲＵ）であって、
ＬＴＥコアネットワークと通信するためのＬＴＥ要素と、
２Ｇ／３Ｇコアネットワークと通信するための２Ｇ／３Ｇ要素とを備え、
前記ＬＴＥコアネットワークと前記２Ｇ／３ＧネットワークとはＧｎインターフェイスを介して通信することを特徴とするデュアルモード無線送受信ユニット。
【請求項２２】
前記ＬＴＥ要素は、前記ＬＴＥコアネットワークとＥ−ＵＴＲＡＮ（ｅｖｏｌｖｅｄ−ｕｎｉｖｅｒｓａｌ  ｍｏｂｉｌｅ  ｔｅｌｅｃｏｍｍｕｎｉｃａｔｉｏｎ  ｓｙｓｔｅｍ（ＵＭＴＳ）ｔｅｒｒｅｓｔｒｉａｌ  ｒａｄｉｏ  ａｃｃｅｓｓ  ｎｅｔｗｏｒｋ）に配置されたｅｖｏｌｖｅｄ−Ｎｏｄｅ  Ｂ（Ｅ−ＮＢ）を介して通信することを特徴とする請求項２１に記載のＷＴＲＵ。
【請求項２３】
前記Ｅ−ＮＢは、前記ＬＴＥコアネットワークとアクセスゲートウェイ（ＡＧＷ）を介して通信することを特徴とする請求項２２に記載のＷＴＲＵ。
【請求項２４】
前記ＡＧＷは、前記Ｇｎインターフェイスに前記アクセスサーバゲートウェイ（ＡＳＧＷ）アンカーノードを介して接続されていることを特徴とする請求項２３に記載のＷＴＲＵ。
【請求項２５】
前記２Ｇ／３Ｇ要素は、前記ＬＴＥを使って前記ＵＴＲＡＮ（ｕｎｉｖｅｒｓａｌ  ｍｏｂｉｌｅ  ｔｅｌｅｃｏｍｍｕｎｉｃａｔｉｏｎ  ｓｙｓｔｅｍ（ＵＭＴＳ）ｔｅｒｒｅｓｔｒｉａｌ  ｒａｄｉｏ  ａｃｃｅｓｓ  ｎｅｔｗｏｒｋ）に配置されているノードＢ（ＮＢ）と通信することを特徴とする請求項２１に記載のＷＴＲＵ。
【請求項２６】
前記ＮＢは、前記２Ｇ／３Ｇコアネットワークと前記２Ｇ／３Ｇネットワークに配置されている前記サービングゲートウェイサポートノード（ＳＧＳＮ）を介して通信することを特徴とする請求項２１に記載のＷＴＲＵ。
【請求項２７】
前記ＳＧＳＮは、前記Ｇｎインターフェイスに接続されていることを特徴とする請求項２１に記載のＷＴＲＵ。
【発明の詳細な説明】
【技術分野】
【０００１】
本発明は、無線通信システムに関する。特に、本発明は、第２世代（２Ｇ）／第３世代（３Ｇ）無線アクセスネットワーク（ＲＡＮ）とＥ−ＵＴＲＡＮ（ｅｖｏｌｖｅｄ−ｕｎｉｖｅｒｓａｌ  ｍｏｂｉｌｅ  ｔｅｌｅｃｏｍｍｕｎｉｃａｔｉｏｎ  ｓｙｓｔｅｍ（ＵＭＴＳ）ｔｅｒｒｅｓｔｒｉａｌ  ｒａｄｉｏ  ａｃｃｅｓｓ  ｎｅｔｗｏｒｋ）に基づくシステムとの間でハンドオーバをサポートする方法および装置に関する。
【背景技術】
【０００２】
３ＧおよびＬＴＥ（ｌｏｎｇ  ｔｅｒｍ  ｅｖｏｌｕｔｉｏｎ）技術が広く導入されているが、１つの重要な考慮事項は、３ＧおよびＬＴＥ技術に加えて古い２／２．５Ｇ技術を使用して、途切れることなくサービスの提供を継続する必要性である。しかし、３ＧおよびＬＴＥに基づくネットワークの地域的範囲およびネットワーク容量が、古い２／２．５Ｇネットワークによって達成されているレベルと同等になるには、しばらくの時間が掛かる。また、３ＧおよびＬＴＥシステムの性質上、たとえばＬＴＥのセルは３Ｇおよび２／２．５Ｇ技術のセルよりも小さい場合があるなど、同じサービスエリア内で異なるカバリッジエリアを使用することを強いられる可能性がある。
【０００３】
３ＧまたはＬＴＥのカバリッジがない地域では、利用者は古い２／２．５Ｇネットワークを利用する必要があり、そのネットワークで動作している無線送受信ユニット（ＷＴＲＵ）は複数の無線アクセス技術（ＲＡＴ）をサポートする必要があるため、複数ＲＡＴ対応ＷＴＲＵ機能が必要となる。複数ＲＡＴ対応ＷＴＲＵは、電源投入時に他の種類のＲＡＴネットワークを探索する機能を持つ必要があるだけでなく、複数ＲＡＴ対応ＷＴＲＵは、ＬＴＥサービスエリアから外に移動したときにネットワークの種類を再選択できる必要もある。
【０００４】
ＲＡＴ間ハンドオーバ時には、デュアルＲＡＴ対応ＷＴＲＵの利用者に気づかれるような大きなパフォーマンス低下を発生させることなく、呼／セッションをあるＲＡＴネットワークから別のＲＡＴネットワークにハンドオーバする必要がある。複数ＲＡＴ対応ＷＴＲＵ対応のＧＰＲＳ（汎用パケット無線サービス）では、パケットサービスの接続も別のネットワークに転送する必要がある。
【発明の開示】
【発明が解決しようとする課題】
【０００５】
システム間のハンドオーバは、第１のＲＡＴネットワークを用いるセルから第２のＲＡＴネットワークを用いる別のセルに移動する間に、通信接続を維持するプロセスである。ＬＴＥネットワークは古い２Ｇ／２．５Ｇネットワークと重なる地理的領域で展開されるため、途切れることのないＲＡＴ間ハンドオーバが、利用者に途切れることのないサービスおよび到達可能性を提供するために重要になる。このため、ＷＴＲＵのパフォーマンスに影響を与えることのないＲＡＴ間ハンドオーバ技術が望まれる。
【０００６】
本発明は、無線通信システムにおいてＵＴＲＡＮとＥ−ＵＴＲＡＮとの間でハンドオーバを実施する方法および装置に関する。無線通信システムは、ＵＴＲＡＮ、Ｅ−ＵＴＲＡＮ、２Ｇ／３Ｇコアネットワーク、およびＬＴＥコアネットワーク、ならびにＬＴＥ要素および２Ｇ／３Ｇ要素を含む少なくとも１つのＷＴＲＵを含む。本発明によると、ＵＴＲＡＮで開始された呼をＥ−ＵＴＲＡＮにハンドオーバするように構成されたＷＴＲＵ、およびＥ−ＵＴＲＡＮで開始された呼をＵＴＲＡＮにハンドオーバするように構成されたＷＴＲＵである。
【課題を解決するための手段】
【０００７】
Ｅ−ＵＴＲＡＮに基づくシステムは、ＷＴＲＵをＥ−ＵＴＲＡＮモードからＵＴＲＡＮモードに切り替えるハンドオーバ手順を開始することができるＬＴＥコアネットワークに配置されたアクセスゲートウェイ（ＡＧＷ）から構成される。ハンドオーバ手順は、ＷＴＲＵによってＡＧＷに送信される測定結果報告に応答して開始することができる。ハンドオーバの開始時に、ＡＧＷはＬＴＥコアネットワークに配置されているアクセスサーバゲートウェイ（ＡＳＧＷ）のアンカーノードとメッセージを交換する。次に、ＡＳＧＷはＧｎインターフェイスを介してターゲット２Ｇ／３Ｇネットワークに配置されているターゲットＳＧＳＮとメッセージを交換する。Ｇｎインターフェイスは、ＳＧＳＮとＳＧＳＮ−ＧＧＳＮを接続するためのＩＰに基づく既存のプロトコルである。ＡＳＧＷからハンドオーバメッセージを受け取ると、ターゲットＳＧＳＮはターゲット無線ネットワーク制御装置（ＲＮＣ）に通知する。ターゲットＲＮＣは次にターゲットノードＢに通知する。ターゲットＲＮＣは次にＷＴＲＵにハンドオーバコマンドをＳＧＳＮ、ＡＳＧＷ、ＡＧＷ、およびＬＴＥ  ＮＢを介して送信する。ハンドオーバコマンドには、ターゲットセルＩＤおよびチャネルが含まれている。ＷＴＲＵがハンドオーバコマンドを受信したら、ＷＴＲＵはチャネルを切り替えて、ＵＴＲＡＮモードの新しいチャネルでターゲットノードＢとの無線リンクを確立する。ターゲットノードＢは次に、ハンドオーバが完了したことをＲＮＣに通知する。ＲＮＣは、ＳＧＳＮを介してハンドオーバ完了メッセージをＡＳＧＷに転送し、ＡＳＧＷはＡＧＷにＷＴＲＵが以前使用していたＥ−ＵＴＲＡＮ無線リソースを解放するように指示する。
【０００８】
本発明は、例として以下に示す好ましい実施形態の説明および添付の図面によって、より詳細に理解されうるであろう。
【発明を実施するための最良の形態】
【０００９】
以下、「ＷＴＲＵ（無線送受信ユニット）」という用語は、移動端末装置（ＵＥ）、移動局、固定または移動可能な加入者端末、携帯無線呼出し器、携帯電話、携帯情報端末（ＰＤＡ）、コンピュータ、または無線環境において動作可能な他のあらゆる種類のユーザ装置を含むが、これらに限定されるものではない。以下、「基地局」という用語は、ノードＢ、サイトコントローラ、アクセスポイント（ＡＰ）、または無線環境において動作可能な他のあらゆる種類のインタフェース装置を含むが、これらに限定されるものではない。
【００１０】
図１は、ＬＴＥおよび２Ｇ／３Ｇ構成要素の両方を含む無線通信システム１００のブロック図の一例である。このシステムは、少なくとも１つの複数ＲＡＴ対応ＷＴＲＵ１１０、Ｅ−ＵＴＲＡＮ１１２、Ｕ−ＴＲＡＮ１１４、ＬＴＥコアネットワーク１１６および２Ｇ／３Ｇコアネットワーク１３６を含む。
【００１１】
本発明によると、ＷＴＲＵ１１０は、ＵＴＲＡＮ１１４とＥ−ＵＴＲＡＮ１１２との間で双方向にハンドオーバできるように構成される。ＷＴＲＵ１１０は、ＬＴＥ要素１１８および２Ｇ／３Ｇ要素１２０を含む。ＷＴＲＵ１１０は、ＬＴＥモードまたは２Ｇ／３Ｇモードで動作する。
【００１２】
典型的には、ＷＴＲＵ１１０がＬＴＥモードで動作するときには、ＷＴＲＵ１１０は、ＬＴＥ要素１１８およびｅｎｈａｎｃｅｄ−Ｎｏｄｅ  Ｂ（Ｅ−ＮＢ）１２２を介してＥ−ＵＴＲＡＮ１１２とメッセージを交換し、Ｅ−ＮＢ１２２はＬＴＥコアネットワーク１１６に配置されているアクセスゲートウェイ（ＡＧＷ）１２４とメッセージを交換する。ＡＧＷ１２４は、アクセスサーバゲートウェイ（ＡＳＧＷ）のアンカーノード１２６と通信する。
【００１３】
ＷＴＲＵ１１０が２Ｇ／３Ｇモードで動作するときには、ＷＴＲＵ１１０は、２Ｇ／３Ｇ要素１２０およびノードＢ（ＮＢ）１２８を介してＵＴＲＡＮ１１４とメッセージを交換し、ＮＢ１２８は無線ネットワーク制御装置（ＲＮＣ）１３０とメッセージを交換する。ＵＴＲＡＮ１１４はＲＮＣ１３０およびＳＧＳＮ１３２を介して２Ｇ／３Ｇコアネットワーク１３６とメッセージを交換する。ＷＴＲＵ１１０が２Ｇ／３Ｇモードで動作しているときには、ＳＧＳＮ１３２はＷＴＲＵ１１０の位置を常時監視する。
【００１４】
２Ｇ／３Ｇコアネットワーク１３６もＧＧＳＮ１３４を含む。ＧＧＳＮ１３４は、２Ｇ／３Ｇシステム１３６のゲートウェイの機能を果たす。ＧＧＳＮ１３４はＩＰアドレスを割り当て、利用者を所望のサービスサーバに接続する。ＧＧＳＮ１３４は、さまざまなデータの流れのサービス品質（ＱｏＳ）も制御して、無線システムをＩＰマルチメディアサブシステム（ＩＭＳ）システムに接続する。２Ｇ／３Ｇコアネットワーク１３６は、ＡＳＧＷアンカーノード１２６およびＳＧＳＮ１３２を介してＬＴＥコアネットワーク１１６と通信する。ＡＳＧＷアンカーノード１２６とＳＧＳＮは、ＧＮ（ｓ４）通信リンク１３８を介してメッセージを交換する。
【００１５】
図２は、本発明に従った図１に示すシステム１００の構成要素間の信号伝達を示す図である。具体的には、図２には、ＬＴＥモードの通信から２Ｇ／３Ｇモードの通信へのハンドオーバの手順を示す。
【００１６】
図２に示すＥ−ＵＴＲＡＮからＵＴＲＡＮへのハンドオーバ手順では、ＷＴＲＵ１１０は最初にＬＴＥモードで動作しており、Ｅ−ＮＢ１２２を介して測定結果報告２０５をＡＧＷ１２４に送信する。ステップ２１０では、ＡＧＷ１２４は測定結果報告２０５に含まれている情報に基づいてハンドオフ手順をトリガして、ターゲットセルＩＤおよびターゲットＳＧＳＮを含むターゲット情報を含むリロケーション要求（ｒｅｌｏｃａｔｉｏｎ  ｒｅｑｕｅｓｔ）メッセージ２１７をＡＳＧＷ１２６に送信する。
【００１７】
ステップ２１５では、ＡＳＧＷ１２６はターゲットセルＩＤに関連する情報を含むリロケーション要求メッセージ２１７をターゲットＳＧＳＮ１３２に送信する。ステップ２２０では、ターゲットＳＧＳＮ１３２はターゲットＲＮＣ１３０を決定し、次にターゲットＲＮＣ１３０に信号を送る。ステップ２２５では、ターゲットＲＮＣ１３０はターゲットＮＢ１２８を決定し、ターゲットＲＮＣ１３０は初期構成メッセージをターゲットＮＢ１２８と交換する。初期構成メッセージの交換が完了した後で、ターゲットＲＮＣ１３０は無線アクセスベアラ（ＲＡＢ）確立確認応答２３３をターゲットＳＧＳＮ１３２に送信する。
【００１８】
ステップ２３５では、ターゲットＳＧＳＮはＡＳＧＷ１２６を介してリロケーション要求をＡＧＷ１２４に送信する。リロケーション要求は、ターゲットセルＩＤを含んでいる。ステップ２４０では、ＡＧＷは、ＡＳＧＷ１２６を介してコンテキスト転送メッセージ２４２をターゲットＳＧＳＮ１３２に送信することによってコンテキスト転送（ＣＴ）を開始する。ステップ２４５では、ターゲットＳＧＳＮ１３２はＳＲＮＳコンテキストをターゲットＲＮＣ１３０に転送する。ステップ２５０では、ターゲットＲＮＣ１３０およびターゲット２Ｇ／３Ｇ  ＮＢ１２８は、ＲＡＢ確立メッセージを交換する。次に、ターゲットＲＮＣ１３０はＡＳＧＷ１２６を介してＣＴ完了メッセージ２５５をＡＧＷ１２４に送信し、ターゲットＲＮＣ１３０はＣＴ確認応答２５３もターゲットＳＧＳＮ１３２に送信する。ステップ２６０では、ＡＧＷ１２４はＥ−ＮＢ１２２を介してハンドオーバコマンドをＷＴＲＵ１１０に転送し、セルＩＤ、チャネル番号を指定する。
【００１９】
ステップ２６５では、ＷＴＲＵ１１０はチャネルを切り替え、ハンドオーバコマンドで指定された新しいチャネルでキャンプオンする。ステップ２６８では、ＷＴＲＵは２Ｇ３Ｇ要素１２０を使用して新しいチャネルでＲＲＣ接続確立メッセージを２Ｇ／３Ｇ  ＮＢ１２８に送信する。ステップ２７０では、２Ｇ／３Ｇ  ＮＢ１２８およびターゲットＲＮＣ１３０は、再構成完了メッセージを交換する。ステップ２７３では、ターゲットＲＮＣ１３０はハンドオーバ完了メッセージをターゲットＳＧＳＮ１３２に送信する。ステップ２７５では、ターゲットＳＧＳＮは、ハンドオーバ完了メッセージ２７７をＡＳＧＷ１２６に送信することによってハンドオーバを完了する。
【００２０】
ステップ２８０では、ＡＳＧＷは、解放メッセージ２８２をＡＧＷ１２４に送信することによって解放動作を開始する。ステップ２８５では、Ｅ−ＵＴＲＡＮの無線リソースが解放される。ハンドオーバはステップ２９０で完了する。このステップでは、ＷＴＲＵ１１０およびＳＧＳＮ１３２は、ルーティングエリア（ＲＡ）更新手順およびＰＤＰコンテキスト修正手順を交換する。
【００２１】
図３は、本発明に従った図１に示すシステム１００の構成要素間の信号伝達を示す図である。具体的には、図３は２Ｇ／３Ｇモードの通信からＬＴＥモードの通信へのハンドオーバの手順を示す。
【００２２】
図３に示すＵＴＲＡＮからＥ−ＵＴＲＡＮへのハンドオーバ手順では、ＷＴＲＵ１１０は最初に２Ｇ／３Ｇモードで動作している。ＷＴＲＵ１１０はＮＢ１２２を介して測定結果報告３０５をＲＮＣ１３０に送信する。ステップ３１０では、ＲＮＣ１３０は測定結果報告に含まれている情報に基づいてハンドオーバをトリガして、ターゲット情報を含むリロケーション要請メッセージ３１３をＳＧＳＮ１３２に送信する。ステップ３１５では、ＳＧＳＮはターゲットＡＳＧＷを決定し、ターゲットＡＳＧＷ１２６にリロケーション要請メッセージ３１８を送信する。このリロケーション要請メッセージ３１８は、ターゲットセルＩＤを含んでいる。ステップ３２０では、ターゲットＡＳＧＷ１２６はターゲットＡＧＷを決定し、ターゲットＡＧＷ１２４にリロケーション要請メッセージ３１８を転送する。ステップ３２５では、ターゲットＡＧＷ１２４はターゲットＥ−ＮＢを決定する。ステップ３２８では、ターゲットＡＧＷ１２４およびターゲットＥ−ＮＢ１２２は、初期構成メッセージを交換する。
【００２３】
ステップ３３０では、ＡＧＷは、ターゲットＡＳＧＷ１２６を介してリロケーション応答メッセージ３３３をＳＧＳＮ１３２に送信することによってＣＴを開始する。ステップ３３５では、ＳＧＳＮ１３２は、リロケーション成功メッセージをＲＮＣ１３０に送信する。ステップ３４０では、ＲＮＣは、ＳＧＳＮ１３２およびターゲットＡＳＧＷ１２６を介してＳＲＮＳコンテキストメッセージ３４３をターゲットＡＧＷ１２４に送信することによってＳＲＮＳコンテキスト転送を開始する。ステップ３４５では、ターゲットＡＧＷおよびターゲットＥ−ＮＢ１２２は、ＲＡＢ確立メッセージを交換する。ステップ３４７では、ＲＡＢ確立が完了し、ターゲットＡＧＷ１２４はターゲットＡＳＧＷ１２６を介してコンテキスト確認応答および再構成完了メッセージ３４９をＳＧＳＮ１３２に送信する。ステップ３５０では、ＣＴは完了し、ＳＧＳＮ１３２はコンテキスト完了メッセージ３５３をＲＮＣ１３０に送信する。
【００２４】
ステップ３５５では、ＲＮＣ１３０は、２Ｇ／３Ｇ  ＮＢ１２８を介してハンドオーバコマンド３５７をＷＴＲＵ１１０に送信することによってＷＴＲＵにチャネルを切り替えるように指示する。ハンドオーバコマンドメッセージ３５７は、少なくともターゲットセルＩＤおよびチャネルを含む。ステップ３６０では、ＷＴＲＵ１１０はチャネルを切り替え、新しいチャネルでキャンプオンする。ステップ３６３では、Ｅ−ＮＢ１２２は、Ｅ−ＵＴＲＡＮリソースを使用して初期アクセスメッセージをターゲットＡＧＷ１２４に送信する。ステップ３６５では、再構成が完了し、ターゲットＡＧＷ１２４は、ＡＳＧＷを介して再構成完了メッセージ３６８をＳＧＳＮ１３２に送信する。ステップ３７０では、ＲＮＣは、解放メッセージ３７３を２Ｇ／３Ｇ  ＮＢに送信することによって解放動作を開始する。ステップ３７５では、２Ｇ／３Ｇ  ＮＢ１２８で無線リソースが解放される。ステップ３８０では、ＷＴＲＵ１１０は、ターゲットＡＧＷ１２４にＲＡ更新およびパケットデータプロトコル（ＰＤＰ）コンテキスト修正メッセージを送信する。
【００２５】
実施形態
実施形態１
Ｅ−ＵＴＲＡＮに基づくシステムとＵＴＲＡＮに基づくシステムとの間においてハンドオーバ（ＨＯ）を実施する方法であって、これら２つのシステム間のインターフェイスはアクセスサーバゲートウェイ（ＡＳＧＷ）のアンカーノードとＳＧＳＮ（ｓｅｒｖｉｎｇ  ＧＰＲＳ  ｓｕｐｐｏｒｔ  ｎｏｄｅ）との間で確立され、
ＡＳＧＷのアンカーノードとＳＧＳＮとの間のインターフェイスを再利用するステップと、
アクセスゲートウェイ（ＡＧＷ）が移動端末装置（ＵＥ）からＵＴＲＡＮシステムへのＨＯ手順を開始するステップと、
ＵＴＲＡＮシステムが、リロケーション応答メッセージをＡＧＷに送信するステップと、
ＡＧＷがリロケーションを実施するステップと、
ＵＥがハンドオーバを終了するステップとを備える方法。
【００２６】
実施形態２
アクセスサーバゲートウェイ（ＡＳＧＷ）がリロケーション要求をターゲットＲＮＣに転送するステップをさらに含む実施形態１に記載の方法。
【００２７】
実施形態３
ＵＴＲＡＮシステムがターゲットＳＧＳＮでＵＥのリソースを割り当てるステップをさらに含む前記実施形態のいずれか１項に記載の方法。
【００２８】
実施形態４
ＡＧＷがハンドオーバコマンドをＵＥに転送するステップをさらに含む前記実施形態のいずれか１項に記載の方法。
【００２９】
実施形態５
ターゲットＳＧＳＮが、ハンドオーバが完了したことをＡＧＷにＡＧＳＷを介して通知するステップをさらに含む前記実施形態のいずれか１項に記載の方法。
【００３０】
実施形態６
無線リソースを解放するためにＡＧＷが解放メッセージを送信するステップをさらに含む前記実施形態のいずれか１項に記載の方法。
【００３１】
実施形態７
ターゲットＳＧＳＮが更新ＰＤＰコンテキストをＡＳＧＷに送信するステップをさらに含む前記実施形態のいずれか１項に記載の方法。
【００３２】
実施形態８
ＱｏＳプロファイルを更新するステップをさらに含む前記実施形態のいずれか１項に記載の方法。
【００３３】
実施形態９
ＨＳＳレコードを更新するステップをさらに含む前記実施形態のいずれか１項に記載の方法。
【００３４】
実施形態１０
ＡＧＷは、ＵＥによって報告された測定結果報告に基づいてハンドオーバ処理を開始する前記実施形態のいずれか１項に記載の方法。
【００３５】
実施形態１１
リロケーション要求は、ＡＳＧＷアンカーを介してサポートするＳＧＳＮを介して転送される前記実施形態のいずれか１項に記載の方法。
【００３６】
実施形態１２
ＵＴＲＡＮシステムは、リロケーション応答メッセージをＡＧＷにＡＳＧＷを介して送信する前記実施形態のいずれか１項に記載の方法。
【００３７】
実施形態１３
ＡＧＷは、ＲＡＮ技術、チャネル番号、ＲＡおよびＬＡをＵＥに対して指定する前記実施形態のいずれか１項に記載の方法。
【００３８】
実施形態１４
ＡＧＷは、ＳＲＮＳコンテキストをターゲットＳＧＳＮにＡＳＧＷを介して送信する前記実施形態のいずれか１項に記載の方法。
【００３９】
実施形態１５
ＵＥは、再構成完了メッセージをターゲットＳＧＳＮに送信する前記実施形態のいずれか１項に記載の方法。
【００４０】
実施形態１６
ハンドオーバは、Ｅ−ＵＴＲＡＮからＵＴＲＡＮに基づいたシステムに実施される前記実施形態のいずれか１項に記載の方法。
【００４１】
実施形態１７
測定結果報告は、ＵＥからＡＧＷにＥ−ＮｏｄｅＢを介して送信される前記実施形態のいずれか１項に記載の方法。
【００４２】
実施形態１８
ＡＧＷは、ハンドオーバのトリガを開始する前記実施形態いずれか１項に記載の方法。
【００４３】
実施形態１９
ＡＳＧＷは、ターゲットＳＧＳＮを決定する前記実施形態いずれか１項に記載の方法。
【００４４】
実施形態２０
ターゲットＳＧＳＮは、ターゲットＲＮＣを決定する前記実施形態のいずれか１項に記載の方法。
【００４５】
実施形態２１
ターゲットＲＮＣは、ターゲットＮｏｄｅＢを決定する前記実施形態のいずれか１項に記載の方法。
【００４６】
実施形態２２
初期構成は、ＵＴＲＡＮ  ＮｏｄｅＢとターゲットＲＮＣとの間で決定される前記実施形態のいずれか１項に記載の方法。
【００４７】
実施形態２３
ＡＧＷは、コンテキスト転送を開始する前記実施形態のいずれか１項に記載の方法。
【００４８】
実施形態２４
ＡＧＷはコンテキストをＡＳＧＷに転送し、ＡＳＧＷはコンテキストをターゲットＳＧＳＮに転送する前記実施形態のいずれか１項に記載の方法。
【００４９】
実施形態２５
ターゲットＲＮＣは、ＲＡＢ確立確認応答をターゲットＳＧＳＮに送信する前記実施形態のいずれか１項に記載の方法。
【００５０】
実施形態２６
ターゲットＳＧＳＮは、ターゲットセルＩＤリロケーション応答をＡＳＧＷに送信する前記実施形態のいずれか１項に記載の方法。
【００５１】
実施形態２７
ターゲットＳＧＳＮは、ＳＲＮＳコンテキストをターゲットＲＮＣに転送する前記実施形態のいずれか１項に記載の方法。
【００５２】
実施形態２８
ＲＡＢ確立は、ＮｏｄｅＢとターゲットＲＮＣとの間で発生する前記実施形態のいずれか１項に記載の方法。
【００５３】
実施形態２９
ターゲットＲＮＣは、コンテキスト転送（ＣＴ）確認応答をターゲットＳＧＳＮに送信する前記実施形態のいずれか１項に記載の方法。
【００５４】
実施形態３０
ターゲットＳＧＳＮは、ＣＴ完了信号をＡＳＧＷに送信する前記実施形態のいずれか１項に記載の方法。
【００５５】
実施形態３１
ＡＧＷは、ターゲットセルＩＤおよびチャネルを含むＨＯコマンドをＥ−ＮｏｄｅＢに送信する前記実施形態のいずれか１項に記載の方法。
【００５６】
実施形態３２
Ｅ−ＮｏｄｅＢは、セルＩＤおよびチャネルを含むＨＯ情報をＵＥに送信する前記実施形態のいずれか１項に記載の方法。
【００５７】
実施形態３３
ＵＥは、チャネルを切り替え、新しいチャネルでキャンプオンする前記実施形態のいずれか１項に記載の方法。
【００５８】
実施形態３４
ＵＥは、ＲＲＣ接続確立をＮｏｄｅＢに送信する前記実施形態のいずれか１項に記載の方法。
【００５９】
実施形態３５
再構成完了信号は、ＮｏｄｅＢとターゲットＲＮＣとの間で送信される前記実施形態のいずれか１項に記載の方法。
【００６０】
実施形態３６
ハンドオーバ完了信号は、ターゲットＲＮＣからターゲットＳＧＳＮに送信される前記実施形態のいずれか１項に記載の方法。
【００６１】
実施形態３７
ＨＯ完了信号は、ＡＳＧＷにターゲットＳＧＳＮから送信される実施形態３６に記載の方法。
【００６２】
実施形態３８
ＡＳＧＷは、解放を開始する前記実施形態のいずれか１項に記載の方法。
【００６３】
実施形態３９
ＡＳＧＷは、ＡＧＷに対して解放を開始する前記実施形態いずれか１項に記載の方法。
【００６４】
実施形態４０
ＡＧＷは、Ｅ−ＵＴＲＡＮ無線リソースを解放する前記実施形態のいずれか１項に記載の方法。
【００６５】
実施形態４１
ルーティングエリア更新手順およびＰＤＰコンテキスト修正手順は、ＵＥとターゲットＳＧＳＮとの間で発生する前記実施形態のいずれか１項に記載の方法。
【００６６】
実施形態４２
ハンドオーバは、ＵＴＲＡＮに基づくシステムからＥ−ＵＴＲＡＮに基づくシステムに実施される実施形態１〜１５に記載の方法。
【００６７】
実施形態４３
測定結果報告は、ＵＥからターゲットＲＮＣにＮｏｄｅＢを介して送信される実施形態４２に記載の方法。
【００６８】
実施形態４４
ターゲットＲＮＣは、ＨＯのトリガをターゲットＳＧＳＮに送信する実施形態４２〜４３に記載の方法。
【００６９】
実施形態４５
ターゲットＳＧＳＮは、ターゲットＡＳＧＷを決定する実施形態４２〜４４に記載の方法。
【００７０】
実施形態４６
ターゲットＳＧＳＮは、リロケーション要求をＡＳＧＷに送信する実施形態４２〜４５に記載の方法。
【００７１】
実施形態４７
ＡＳＧＷは、ターゲットＡＧＷを決定する実施形態４２〜４６に記載の方法。
【００７２】
実施形態４８
ＡＳＧＷは、リロケーション要求をＡＧＷに転送する実施形態４２〜４７に記載の方法
。
【００７３】
実施形態４９
ＡＧＷは、ターゲットＥ−ＮｏｄｅＢを決定する実施形態４２〜４８に記載の方法。
【００７４】
実施形態５０
初期構成は、Ｅ−ＮｏｄｅＢとＡＧＷとの間で発生する実施形態４２〜４９に記載の方法。
【００７５】
実施形態５１
ＡＧＷは、コンテキスト転送を開始する実施形態４２〜５０に記載の方法。
【００７６】
実施形態５２
ＡＳＧＷは、リロケーション応答をターゲットＳＧＳＮに送信する実施形態４２〜５１に記載の方法。
【００７７】
実施形態５３
ターゲットＳＧＳＮは、リロケーション応答をターゲットＲＮＣに転送する実施形態４２〜５２に記載の方法。
【００７８】
実施形態５４
ターゲットＲＮＣは、サービング無線ネットワークサブシステム（ＳＲＮＳ）コンテキスト転送（ＣＴ）を開始する実施形態４２〜５３に記載の方法。
【００７９】
実施形態５５
ターゲットＲＮＣは、ＳＲＮＳ  ＣＴ信号をターゲットＳＧＳＮに送信する実施形態４２〜５４に記載の方法。
【００８０】
実施形態５６
ターゲットＳＧＳＮは、ＳＲＮＳ  ＣＴ信号をＡＳＧＷに転送する実施形態４２〜５５に記載の方法。
【００８１】
実施形態５７
ＡＧＷおよびＥ−ＮｏｄｅＢは、無線アクセスベアラ（ＲＡＢ）の確立を完了する実施形態４２〜５６に記載の方法。
【００８２】
実施形態５８
ＡＳＧＷは、ＣＴ確認応答／再構成完了メッセージをターゲットＳＧＳＮに送信する実施形態４２〜５７に記載の方法。
【００８３】
実施形態５９
ターゲットＳＧＳＮは、ＣＴを完了する実施形態４２〜５８に記載の方法。
【００８４】
実施形態６０
ターゲットＳＧＳＮは、ＣＴ完了メッセージをターゲットＲＮＣに送信する実施形態４２〜５９に記載の方法。
【００８５】
実施形態６１
ターゲットＲＮＣは、ＵＥにチャネルを切り替えることを指示する実施形態４２〜６０に記載の方法。
【００８６】
実施形態６２
ターゲットＲＮＣは、セルＩＤおよびチャネルを含むＨＯコマンドをＮｏｄｅＢに送信する実施形態４２〜６１に記載の方法。
【００８７】
実施形態６３
ＮｏｄｅＢは、ＨＯコマンドをＵＥに転送する実施形態６２に記載の方法。
【００８８】
実施形態６４
ＵＥはチャネルを切り替え、新しいチャネルでキャンプオンする実施形態４２〜６３に記載の方法。
【００８９】
実施形態６５
ＵＥは、ＡＧＷに対してＥ−ＮｏｄｅＢを介して初期アクセスを実施する実施形態４２〜６４に記載の方法。
【００９０】
実施形態６６
ＡＧＷは、再構成を完了する実施形態４２〜６５に記載の方法。
【００９１】
実施形態６７
ＡＳＧＷは、再構成完了メッセージをターゲットＳＧＳＮに送信する実施形態４２〜６６に記載の方法。
【００９２】
実施形態６８
ターゲットＲＮＣは、解放を開始する実施形態４２〜６７に記載の方法。
【００９３】
実施形態６９
ターゲットＲＮＣは、解放をＮｏｄｅＢに送信する実施形態４２〜６８に記載の方法。
【００９４】
実施形態７０
ＮｏｄｅＢは、無線リソースを解放する実施形態４２〜６９に記載の方法。
【００９５】
実施形態７１
ＴＡ更新およびＰＤＰコンテキストは、ＵＥとＡＧＷとの間で修正される実施形態４２〜７０に記載の方法。
【００９６】
実施形態７２
前記実施形態のいずれか１項に記載されているＵＥとして構成されたＷＴＲＵ。
【００９７】
本発明の特徴および要素は好ましい実施形態において特定の組み合わせを用いて説明されているが、各特徴または要素は、好ましい実施形態の他の特徴および要素を用いずに単独で用いることが可能である。または本発明の他の特徴および要素を用いてもしくは用いずにさまざまな組み合わせで用いることができる。本発明で提供される方法またはフローチャートは、具体的には汎用コンピュータまたはプロセッサによって実行するためにコンピュータで読み出し可能な記憶媒体に組み込まれているコンピュータプログラム、ソフトウェア、またはファームウェアに実装することができる。コンピュータで読み出し可能な記憶媒体の例としては、読み出し専用メモリ（ＲＯＭ）、ランダムアクセスメモリ（ＲＡＭ）、レジスタ、キャッシュメモリ、半導体記憶装置、内蔵型ハードディスクおよび取り外し可能ディスクなどの磁気媒体、光磁気媒体、およびＣＤ−ＲＯＭディスクなどの光学式媒体、ならびにデジタル多用途ディスク（ＤＶＤ）などがある。
【００９８】
適したプロセッサの例を挙げると、汎用プロセッサ、特殊用途向けプロセッサ、従来のプロセッサ、デジタル信号プロセッサ（ＤＳＰ）、複数のマイクロプロセッサ、ＤＳＰコアと共に用いる１つまたは複数のマイクロプロセッサ、コントローラ、マイクロコントローラ、特定用途向け集積回路（ＡＳＩＣ）、書き替え可能ゲートアレイ（ＦＰＧＡ）回路、その他の種類の集積回路（ＩＣ）、および／または状態遷移機械などがある。
【００９９】
プロセッサをソフトウェアと共に使用することで、無線送受信ユニット（ＷＴＲＵ）、移動端末装置（ＵＥ）、端末、基地局、無線ネットワーク制御装置（ＲＮＣ）、またはホストコンピュータで使用するＲＦ送受信機（ｒａｄｉｏ  ｆｒｅｑｕｅｎｃｙ  ｔｒａｎｓｃｅｉｖｅｒ）を実装することができる。ＷＴＲＵは、カメラ、ビデオカメラモジュール、テレビ電話、スピーカーホン、振動装置、スピーカー、マイクロホン、テレビの送受信装置、ハンドフリーヘッドセット、キーボード、Ｂｌｕｅｔｏｏｔｈ（登録商標）モジュール、周波数変調（ＦＭ）無線装置、液晶表示装置（ＬＣＤ）、有機発光ダイオード（ＯＬＥＤ）表示装置、デジタル音楽プレーヤー、メディアプレーヤー、ビデオゲームプレーヤーモジュール、インターネットブラウザ、および／または無線ローカルエリアネットワーク（ＷＬＡＮ）モジュールなど、ハードウェアおよび／またはソフトウェアに実装されたモジュールと共に使用することができる
【図面の簡単な説明】
【０１００】
【図１】本発明に従って構成されたデュアルモード通信システムのブロック図の一例である。
【図２】Ｅ−ＵＴＲＡＮからＵＴＲＡＮへのハンドオーバ処理を実施する図１のシステムの構成要素間における信号伝達を示す図である。
【図３】ＵＴＲＡＮからＥ−ＵＴＲＡＮへのハンドオーバ処理を実施する図１のシステムの構成要素間における信号伝達を示す図である。
【図１】
2009529830.tif 000003
【図２】
2009529830.tif 000004
【図３】
2009529830.tif 000005
【手続補正書】
【提出日】平成20年1月9日(2008.1.9)
【手続補正１】
【補正対象書類名】特許請求の範囲
【補正対象項目名】全文
【補正方法】変更
【補正の内容】
【特許請求の範囲】
【請求項１】
Ｅ−ＵＴＲＡＮからＵＴＲＡＮへの無線送受信ユニット（ＷＴＲＵ）のハンドオーバを実施する方法であって、
ターゲットセルサービングＧＰＲＳサポートノード（ＳＧＳＮ）を決定するステップと、
Ｇｎ／Ｓ４インタフェース上で、前記ターゲットセルＳＧＳＮへ、ターゲットセルＩＤに関連した情報を含むリロケーション要求メッセージを送信するステップと、
前記Ｇｎ／Ｓ４インタフェース上で、前記ターゲットセルＳＧＳＮからの前記ターゲットセルＩＤを含むリロケーション要求を受信し、前記要求をアクセスゲートウエイ（ＡＧＷ）へ転送するステップと、
前記ＡＧＷからコンテキスト転送メッセージを受信し、前記Ｇｎ／Ｓ４インタフェース上で、前記ターゲットセルＳＧＳＮへ前記コンテキスト転送メッセージを転送するステップと、
ターゲットＲＮＣからコンテキスト転送完了メッセージを受信し、前記コンテキスト転送完了メッセージを前記ＡＧＷへ転送するステップと、
前記Ｇｎ／Ｓ４インタフェース上で、前記ターゲットセルＳＧＳＮからハンドオーバ完了メッセージを受信するステップと、
前記ＡＧＷへリリースメッセージを送信するステップと、
前記Ｇｎ／Ｓ４インタフェース上で、前記ターゲットセルＳＧＳＮから更新ＰＤＰコンテキストメッセージを受信するステップと
を備えることを特徴とする方法。
【請求項２】
前記リロケーション要求メッセージは、アクセスサーバゲイトウイエ（ＡＳＧＷ）アンカーノードを介して前記ＡＧＷへ送信されることを特徴とする請求項１に記載の方法。
【請求項３】
前記ＳＲＮＳコンテキスト転送メッセージは、ＡＳＧＷアンカーノードを介して受信されおよび転送されることを特徴とする請求項１に記載の方法。
【請求項４】
前記更新ＰＤＰコンテキストメッセージは、サービス品質（ＱｏＳ）プロファイルへの更新を含むことを特徴とする請求項１に記載の方法。
【請求項５】
前記更新ＰＤＰコンテキストメッセージは、ホームサブスクライバサービス（ＨＳＳ）への更新を含むことを特徴とする請求項１に記載の方法。
【請求項６】
ＵＴＲＡＮからＥ−ＵＴＲＡＮへの無線送受信ユニット（ＷＴＲＵ）のハンドオーバを実施する方法であって、
Ｇｎ／Ｓ４インタフェース上で、サービングＧＰＲＳサポートノード（ＳＧＳＮ）からリロケーション要請メッセージを受信するステップと、
ターゲットアクセスゲートウエイ（ＡＧＷ）を決定するステップと、
前記ＡＧＷへ前記リロケーション要請メッセージを転送するステップと、
前記ＡＧＷからリロケーション応答メッセージを受信し、Ｇｎ前記／Ｓ４インタフェース上で、前記ＳＧＳＮへ前記リロケーション応答メッセージを転送するステップと、
Ｇｎ／Ｓ４インタフェース上で、前記ＳＧＳＮからＳＮＲＳコンテキストメッセージを受信し、前記ターゲットＡＧＷへ前記ＳＮＳＲコンテキストメッセージを転送するステップと、
前記ターゲットＡＧＷからコンテキスト確認応答および再構成完了メッセージを受信し、Ｇｎ／Ｓ４インタフェース上で、前記ＳＧＳＮへ前記コンテキスト確認応答および再構成完了メッセージを転送するステップと、
前記ターゲットＡＧＷから再構成完了メッセージを受信し、Ｇｎ／Ｓ４インタフェース上で、前記ＳＧＳＮへ前記再構成完了メッセージを転送するステップと
を備えることを特徴とする方法。
【請求項７】
ターゲットセルサービングＧＰＲＳサポートノード（ＳＧＳＮ）を決定し、
Ｇｎ／Ｓ４インタフェース上で、ターゲットセルＩＤに関連した情報を含むリロケーション要求メッセージを前記ターゲッセルＳＧＳＮへ送信し、
前記Ｇｎ／Ｓ４インタフェース上で、前記ターゲットセルＳＧＳＮからの前記ターゲットセルＩＤを含むリロケーション要求を受信し、前記要求をアクセスゲートウエイ（ＡＧＷ）へ転送し、
前記ＡＧＷからコンテキスト転送メッセージを受信し、前記Ｇｎ／Ｓ４インタフェース上で、前記コンテキスト転送メッセージを前記ターゲットセルＳＧＳＮへ転送し、
ターゲットＲＮＣからコンテキスト転送完了メッセージを受信し、前記コンテキスト転送完了メッセージを前記ＡＧＷへ転送し、
前記Ｇｎ／Ｓ４インタフェース上で、前記ターゲットセルＳＧＳＮからハンドオーバ完了メッセージを受信し、
前記ＡＧＷへリリースメッセージを送信し、
前記Ｇｎ／Ｓ４インタフェース上で、前記ターゲットセルＳＧＳＮから更新ＰＤＰコンテキストメッセージを受信するよう構成されたことを特徴とするアクセスサーバゲートウエイ（ＡＳＧＷ）アンカー。
【請求項８】
Ｇｎ／Ｓ４インタフェース上で、サービングＧＰＲＳサポートノード（ＳＧＳＮ）からリロケーション要請メッセージを受信し、
ターゲットアクセスゲートウエイ（ＡＧＷ）を決定し、
前記ＡＧＷへ、前記リロケーション要請メッセージを転送し、
前記ＡＧＷからリロケーション応答メッセージを受信し、Ｇｎ前記／Ｓ４インタフェース上で、前記ＳＧＳＮへ前記リロケーション応答メッセージを転送し、
Ｇｎ／Ｓ４インタフェース上で、前記ＳＧＳＮから、ＳＮＲＳコンテキストメッセージを受信し、前記ターゲットＡＧＷへ前記ＳＮＳＲコンテキストメッセージを転送し、
前記ターゲットＡＧＷから、コンテキスト確認応答および再構成完了メッセージを受信し、Ｇｎ／Ｓ４インタフェース上で、前記ＳＧＳＮへ前記コンテキスト確認応答および再構成完了メッセージを転送し、
前記ターゲットＡＧＷから、再構成完了メッセージを受信し、Ｇｎ／Ｓ４インタフェース上で、前記ＳＧＳＮへ前記再構成完了メッセージを転送するよう構成されたことを特徴とするアクセスサーバゲートウエイ（ＡＳＧＷ）アンカー。  
【国際調査報告】
2009529830.tif 000006
2009529830.tif 000007
2009529830.tif 000008